(57)【要約】弁体周方向の流れに起因する騒音の影響を低減できる吐出弁を搭載した高圧燃料供給ポンプ及びそれに用いる吐出弁ユニットを提供することにある。高圧燃料供給ポンプは、加圧室(11)と吐出口(13)との間に、逆止弁である吐出弁(8)を有する。吐出弁(8)は、弁体ハウジング(8d)と吐出弁ばね(8c)と弁体(8b)とシート部材(8a)とからなる。吐出弁(8)は、フラット弁である。開弁時に、加圧室から弁体に軸方向から衝突した燃料の流れは、弁体の半径方向に放射状に分散し、吐出ポートに直接向かう流れと、弁ハウジングの内壁に衝突した後、吐出ポートに向かい弁体の周方向の流れとなる。吐出弁(8)は、シート部材(8a)の外周及び弁体(8b)の外周と弁ハウジング(8d)の内周との間に形成され、周方向の流れに対する液体ダンパ室を備える。液体ダンパ室は、第１、第２、第３管状通路(503A,503B,503C)からなる。
2010095247.tif 000002
【特許請求の範囲】
【請求項１】
プランジャの往復動作によって容積が変化する加圧室と、
該加圧室によって加圧された燃料を吐出する吐出口と、
該吐出口と前記加圧室の間に設けられ、逆止弁である吐出弁とを有し、
該吐出弁は、
前記吐出口に連通する複数の吐出ポートが形成された弁体ハウジングと、
該弁体ハウジングの内部に収納されるとともに、吐出弁ばねにより弁を閉じる方向に付勢された弁体と、
前記弁体ハウジングの内部に収納されるとともに、前記弁体と当接して弁を閉じるシート部を有するシート部材とからなる高圧燃料供給ポンプであって、
前記吐出弁は、
前記弁体に形成された弁座の面及び前記シート部の面が、前記弁体の軸方向に直交する平面と平行であるフラット弁であり、
開弁時に、前記加圧室から前記シート部材の中空部を経て、前記弁体に軸方向から衝突した燃料の流れは、前記弁体の半径方向に放射状に分散し、前記吐出ポートに直接向かう流れと、弁ハウジングの内壁に衝突した後、吐出ポートに向かい弁体の周方向の流れとなり、
前記シート部材の外周及び前記弁体の外周と前記弁ハウジングの内周との間に形成され、前記周方向の流れに対する液体ダンパ室を備える
ことを特徴とする高圧燃料供給ポンプ。
【請求項２】
請求項１記載の高圧燃料供給ポンプにおいて、
前記液体ダンパ室は、前記弁体の外周と前記弁ハウジングの内周との間に形成された第１の管状通路と、
前記シート部材の外周と前記弁ハウジングの内周との間に形成された第２の管状通路とを備えることを特徴とする高圧燃料供給ポンプ。
【請求項３】
請求項２記載の高圧燃料供給ポンプにおいて、
前記第１及び第２の管状通路は、
前記弁体の軸を含む平面における前記第２の管状通路の断面積が、前記第１の管状通路の断面積よりも大きいことを特徴とする高圧燃料供給ポンプ。
【請求項４】
請求項３記載の高圧燃料供給ポンプにおいて、
前記弁体の外径は、前記弁座の外径よりも大きいことを特徴とする高圧燃料供給ポンプ。
【請求項５】
請求項４記載の高圧燃料供給ポンプにおいて、
前記第１の管状通路は、前記弁体の前記弁座の外周に設けられたテーパーと前記弁ハウジングの内周との間に形成されることを特徴とする高圧燃料供給ポンプ。
【請求項６】
請求項２記載の高圧燃料供給ポンプにおいて、
前記流体通路の断面積αが前記吐出弁の全開時における開口面積βに対しα＞０．１×βとなることを特徴とする高圧燃料供給ポンプ。
【請求項７】
請求項１記載の高圧燃料供給ポンプにおいて、
前記液体ダンパ室は、前記弁体の軸を含む平面における断面積が、０．３ｍｍ２よりも大きいことを特徴とする高圧燃料供給ポンプ。
【請求項８】
加圧室によって加圧された燃料を逆止弁である吐出弁を経て吐出口から吐出する高圧燃料供給ポンプに用いられ、
前記吐出弁の一部を構成する弁体ハウジングの内部に圧入される吐出弁ユニットであって、
前記吐出弁ユニットは、
吐出弁ばねにより弁を閉じる方向に付勢された弁体と、
該弁体と当接して弁を閉じるシート部を有するシート部材とからなり、
前記吐出弁は、前記弁体に形成された弁座の面及び前記シート部の面が、前記弁体の軸方向に直交する平面と平行であるフラット弁であり、
開弁時に、前記加圧室から前記シート部材の中空部を経て、前記弁体に軸方向から衝突した燃料の流れは、前記弁体の半径方向に放射状に分散し、前記吐出ポートに直接向かう流れと、弁ハウジングの内壁に衝突した後、吐出ポートに向かい弁体の周方向の流れとなり、
前記シート部材の外周及び前記弁体の外周と前記弁ハウジングの内周との間に形成され、前記周方向の流れに対する液体ダンパ室を備える
ことを特徴とする吐出弁ユニット。
【発明の詳細な説明】
【技術分野】
【０００１】
本発明は、エンジンに燃料を高圧で供給する高圧燃料供給ポンプ及びそれに用いる吐出弁ユニットに係り、特に、吐出弁のフラッタリング防止に好適な高圧燃料供給ポンプ及びそれに用いる吐出弁ユニットに関する。
【背景技術】
【０００２】
一般に流体を加圧する装置では、その加圧動作に起因して、衝突音や圧力脈動音といった種々の騒音が発生する。これに対し、発生した圧力脈動をアキュムレータ等の油圧ダンパにより吸収する、あるいは発生した騒音を遮音材で吸収するといった対策が行われてきたが、後処理的な対策と成るため省スペース化・低コスト化の観点から不利である。【０００３】
そこで、これらに対し、弁ユニット内に低騒音化機能を設けた弁構造が検討されている。【０００４】
例えば、第１に、燃料を弁ハウジングに形成された複数の吐出ポートから半径方向に吐出する構成のチェックバルブにおいて、吐出ポート通過後に作動液の圧力を緩衝する緩衝部を設けた弁構造が知られている（例えば、特許文献１参照）。【０００５】
また、第２に、チェックバルブにおいて、弁座から吐出ポートへ流れる吐出流れの方向変化が小さく、円滑に流れるよう、弁座をテーパー形状に形成し、これに着座する円錐部を弁体に設けた弁構造が知られている（例えば、特許文献２参照）。【０００６】
【特許文献１】実開平５−６６２７５号公報
【特許文献２】実開平５−２２９６９号公報
【発明の開示】
【発明が解決しようとする課題】
【０００７】
特許文献１や特許文献２記載の構成の弁においては、開弁時に弁体に対して軸方向から衝突した流れは、弁体の半径方向に放射状に分散する。このうち、吐出ポートが形成されている範囲の流れは、そのまま吐出ポートに向かい弁体の径方向の流れとなる。一方、吐出ポートが形成されていない範囲に向かった流れは、弁ハウジングの内壁に衝突した後、吐出ポートに向かい弁体の周方向の流れとなる。【０００８】
特許文献１や特許文献２に記載の弁においては、吐出ポートが形成されていない範囲に向かった流れが、弁体の周方向に高圧・高速の流れとない、弁体挙動に対する影響は無視できず、圧力脈動の原因となる挙動（以下、フラッタリングと称す）を励起する。【０００９】
また、一般に、球状の弁体を用いるボール弁は、弁体の軸方向の移動量が少なくても比較的大流量の吐出量を得られるが、弁体の軸方向の移動量と吐出量との関係が非直線となる。それに対して、フラット弁においては、弁体の軸方向の移動量と吐出量との関係が直線となる。ここで、フラット弁とは、弁体の弁座の面が、弁体の軸方向に直交する平面と平行であり、また、弁体が当接するシート部の面も、弁体の軸方向に直交する平面と平行なものである。特許文献１記載の弁は、フラット弁である。しかし、フラット弁では、大流量を吐出するためには、弁体の軸方向の移動量を大きくする必要がある。弁体を摺動保持する弁体ハウジングと弁体との間には隙間があり、弁体が弁体ハウジングの中心から径方向にオフセットすると、弁体の両側で周方向流れが通過する断面積に大きな差がつく。その結果、弁体に作用する差圧力が増大し、それを起振力としてフラッタリングが生じる。フラッタリングは、弁体の弁体の軸方向の移動量が大きいほど、発生しやすく、大流量を吐出するフラット弁では、問題となりやすい。【００１０】
フラッタリングは、弁体の開閉弁動作方向に対して垂直方向の振動であり、これが発生すると弁体周りの燃料が影響を受け、圧力脈動が発生する。このようにして発生した圧力脈動は、配管系を通して伝播・増幅され、騒音となって外部に放出され、騒音を発生するという問題があった。【００１１】
本発明の目的は、弁体周方向の流れに起因する騒音の影響を低減できる吐出弁を搭載した高圧燃料供給ポンプ及びそれに用いる吐出弁ユニットを提供することにある。
【課題を解決するための手段】
【００１２】
（１）上記目的を達成するために、本発明は、プランジャの往復動作によって容積が変化する加圧室と、該加圧室によって加圧された燃料を吐出する吐出口と、該吐出口と前記加圧室の間に設けられ、逆止弁である吐出弁とを有し、該吐出弁は、前記吐出口に連通する複数の吐出ポートが形成された弁体ハウジングと、該弁体ハウジングの内部に収納されるとともに、吐出弁ばねにより弁を閉じる方向に付勢された弁体と、前記弁体ハウジングの内部に収納されるとともに、前記弁体と当接して弁を閉じるシート部を有するシート部材とからなる高圧燃料供給ポンプであって、前記吐出弁は、前記弁体に形成された弁座の面及び前記シート部の面が、前記弁体の軸方向に直交する平面と平行であるフラット弁であり、開弁時に、前記加圧室から前記シート部材の中空部を経て、前記弁体に軸方向から衝突した燃料の流れは、前記弁体の半径方向に放射状に分散し、前記吐出ポートに直接向かう流れと、弁ハウジングの内壁に衝突した後、吐出ポートに向かい弁体の周方向の流れとなり、前記シート部材の外周及び前記弁体の外周と前記弁ハウジングの内周との間に形成され、前記周方向の流れに対する液体ダンパ室を備えるようにしたものである。【００１３】
かかる構成により、弁体周方向の流れに起因する騒音の影響を低減できるものとなる。【００１４】
（２）上記（１）において、好ましくは、前記液体ダンパ室は、前記弁体の外周と前記弁ハウジングの内周との間に形成された第１の管状通路と、 前記シート部材の外周と前記弁ハウジングの内周との間に形成された第２の管状通路とを備えるようにしたものである。【００１５】
（３）上記（２）において、好ましくは、前記第１及び第２の管状通路は、前記弁体の軸を含む平面における前記第２の管状通路の断面積が、前記第１の管状通路の断面積よりも大きくしたものである。【００１６】
（４）上記（３）において、好ましくは、前記弁体の外径は、前記弁座の外径よりも大きくしたものである。【００１７】
（５）上記（４）において、好ましくは、前記第１の管状通路は、前記弁体の前記弁座の外周に設けられたテーパーと前記弁ハウジングの内周との間に形成されるものである。【００１８】
（６）上記（２）において、好ましくは、前記流体通路の断面積αが前記吐出弁の全開時における開口面積βに対しα＞０．１×βとなる。
ことを特徴とする高圧燃料供給ポンプ。【００１９】
（７）上記（１）において、好ましくは、前記液体ダンパ室は、前記弁体の軸を含む平面における断面積が、０．３ｍｍ２よりも大きいものである。【００２０】
（８）また、上記目的を達成するために、本発明は、加圧室によって加圧された燃料を逆止弁である吐出弁を経て吐出口から吐出する高圧燃料供給ポンプに用いられ、前記吐出弁の一部を構成する弁体ハウジングの内部に圧入される吐出弁ユニットであって、前記吐出弁ユニットは、吐出弁ばねにより弁を閉じる方向に付勢された弁体と、該弁体と当接して弁を閉じるシート部を有するシート部材とからなり、前記吐出弁は、前記弁体に形成された弁座の面及び前記シート部の面が、前記弁体の軸方向に直交する平面と平行であるフラット弁であり、開弁時に、前記加圧室から前記シート部材の中空部を経て、前記弁体に軸方向から衝突した燃料の流れは、前記弁体の半径方向に放射状に分散し、前記吐出ポートに直接向かう流れと、弁ハウジングの内壁に衝突した後、吐出ポートに向かい弁体の周方向の流れとなり、前記シート部材の外周及び前記弁体の外周と前記弁ハウジングの内周との間に形成され、前記周方向の流れに対する液体ダンパ室を備えるようにしたものである。【００２１】
かかる構成により、弁体周方向の流れに起因する騒音の影響を低減できるものとなる。
【発明の効果】
【００２２】
本発明によれば、弁体周方向の流れに起因する騒音の影響を低減できる。
【発明を実施するための最良の形態】
【００２３】
以下、図１〜図７を用いて、本発明の第１の実施形態による高圧燃料供給ポンプの構成及び動作について説明する。【００２４】
最初に、図１を用いて、本実施形態による高圧燃料供給ポンプを用いる高圧燃料供給システムの構成について説明する。【００２５】
図１は、本発明の第１の実施形態による高圧燃料供給ポンプを用いる高圧燃料供給システムの全体構成図である。【００２６】
図１において。破線で囲まれた部分は、高圧燃料供給ポンプのポンプハウジング１を示し、この破線の中に示された機構と部品を、その中に一体に組み込んで、本実施形態の高圧燃料供給ポンプを構成している。また、図中において、点線は、電気信号の流れを示している。【００２７】
燃料タンク２０の中の燃料は、フィードポンプ２１によって汲み上げられ、吸入配管２８を通じてポンプハウジング１の燃料吸入口１０ａに送られる。燃料吸入口１０ａを通過した燃料は、圧力脈動低減機構９，吸入通路１０ｃを介して、容量可変機構を構成する電磁吸入弁機構３０の吸入ポート３０ａに至る。【００２８】
電磁吸入弁機構３０は、電磁コイル３０ｂを備えている。電磁コイル３０ｂが通電されている状態で、電磁プランジャ３０ｃは、ばね３３を圧縮して図１における右方に移動した状態となり、その状態が維持される。このとき、電磁プランジャ３０ｃの先端に取付けられた吸入弁体３１は、高圧燃料供給ポンプの加圧室１１に通じる吸入口３２を開く。電磁コイル３０ｂが通電されていない状態であって、吸入通路１０ｃ（吸入ポート３０ａ）と加圧室１１との間に流体差圧がない時は、ばね３３の付勢力により、吸入弁体３１は、閉弁方向（図３における左方）に付勢されて吸入口３２は閉じられた状態となって、この状態が維持される。図１は、吸入口３２は閉じられた状態を示している。【００２９】
加圧室１１には、プランジャ２が図１の上下方向に摺動可能に保持されている。内燃機関のカムの回転により、プランジャ２が図１の下方に変位して吸入工程状態にある時は、加圧室１１の容積は増加し、その中の燃料圧力は低下する。この工程において、加圧室１１内の燃料圧力が吸入通路１０ｃ（吸入ポート３０ａ）の圧力よりも低くなると、吸入弁体３１には燃料の流体差圧による開弁力（吸入弁体３１を図１の右方に変位させる力）が発生する。この開弁力により、吸入弁体３１は、ばね３３の付勢力に打ち勝って開弁し、吸入口３２を開く。この状態にて、ＥＣＵ２７からの制御信号が電磁吸入弁機構３０に印加されると、電磁吸入弁３０の電磁コイル３０ｂに電流が流れ、磁気付勢力により電磁プランジャ３０ｃが図１の右方に移動して、吸入口３２を開いた状態を維持する。【００３０】
電磁吸入弁機構３０に入力電圧の印加状態を維持したまま、プランジャ２が吸入工程から圧縮工程（下始点から上始点までの間の上昇工程）へと移行すると、電磁コイル３０ｂへの通電状態が維持されているので、磁気付勢力は維持されて吸入弁体３１は依然として開弁した状態を維持する。加圧室１１の容積は、プランジャ２の圧縮運動に伴って減少するが、この状態では、一度加圧室１１に吸入された燃料が、再び開弁状態の吸入弁体３１と吸入口３２との間を通過して吸入通路１０ｃ（吸入ポート３０ａ）へと戻されるので、加圧室１１の圧力が上昇することはない。この工程を、戻し工程という。【００３１】
戻し工程において、電磁コイル３０ｂへの通電を断つと、電磁プランジャ３０ｃに働いていた磁気付勢力は一定時間後（磁気的、機械的遅れ時間後）に消去される。そうすると、吸入弁体３１に常時働いているばね３３の付勢力および吸入口３２の圧力損失により発生する流体力により、吸入弁体３１は、図１の左方に移動して吸入口３２を閉じる。吸入口３２が閉じると、この時から加圧室１１内の燃料圧力は、プランジャ２の上昇と共に上昇する。そして、加圧室１１内の燃料圧力が、吐出口１３の燃料圧力よりも所定の値だけ大きい圧力を超えた時に、加圧室１１に残っている燃料は、吐出弁８を介して、高圧吐出が行われてコモンレール２３へと供給される。この工程を吐出工程という。上記のとおり、プランジャ２の圧縮工程は、戻し工程と吐出工程からなる。【００３２】
戻し工程中に、吸入通路１０ｃに戻された燃料により吸入通路には圧力脈動が発生するが、この圧力脈動は、吸入口１０ａから吸入配管２８へ僅かに逆流するのみであり、燃料の戻しの大部分は圧力脈動低減機構９により吸収される。【００３３】
ＥＣＵ２７が電磁吸入弁機構３０の電磁コイル３０ｃへの通電解除のタイミングを制御することにより、吐出される高圧燃料の量を制御することができる。電磁コイル３０ｂへの通電解除のタイミングを早くすれば、圧縮工程における戻し工程の割合を小さく、吐出工程の割合を大きくする。すなわち、吸入通路１０ｃ（吸入ポート３０ａ）に戻される燃料を少なく、高圧吐出される燃料を多くする。これに対し、上記の通電解除のタイミングを遅くすれば、圧縮工程における戻し工程の割合を大きく、吐出工程の割合を小さくする。すなわち、吸入通路１０ｃに戻される燃料を多く、高圧吐出される燃料を少なくする。上記の通電解除のタイミングは、ＥＣＵ２７から指令により制御される。【００３４】
以上のように、ＥＣＵ２７が電磁コイルの通電解除のタイミングを制御することにより、高圧吐出される燃料量を、内燃機関が必要とする量とすることができる。【００３５】
ポンプハウジング１内において、加圧室１１の出口側には吐出口（吐出側配管接続部）１３との間に吐出弁８が設けられる。吐出弁８は、シート部８ａと、弁体８ｂと、吐出弁ばね８ｃと、弁体ハウジング８ｄとからなる。加圧室１１と吐出口１３との間に燃料の差圧がない状態では、弁体８ｂは、吐出弁ばね８ｃによる付勢力でシート部８ａに圧着され閉弁状態となっている。加圧室１１内の燃料圧力が、吐出口１３の燃料圧力よりも所定の値だけ大きい圧力を超えた時に、弁体８ｂは吐出弁ばね８ｃに抗して開弁し、加圧室１１内の燃料は吐出弁８を経て吐出口１３へと吐出される。【００３６】
弁体８ｂは開弁した後、弁体ハウジング８ｄに形成されたストッパー８０５に接触すると動作を制限される。そのゆえ、弁体８ｂのストロークは、弁体ハウジング８ｄによって適切に決定される。もし、ストロークが大きすぎると、弁体８ｂの閉じ遅れにより、吐出口１３へ吐出される燃料が、再び加圧室１１内に逆流するので、高圧ポンプとしての効率が低下する。また、弁体８ｂが開弁と閉弁運動を繰り返す時に、ストローク方向に円滑に運動するように、弁体ハウジング８ｄの内壁８０６によりガイドしている。以上のように構成することにより、吐出弁８は、燃料の流通方向を制限する逆止弁となる。なお、吐出弁８の詳細構成については、図２〜図５を用いて後述する。【００３７】
以上説明したようにして、燃料吸入口１０ａに導かれた燃料は、ポンプハウジング１の加圧室１１内にてプランジャ２の往復動によって必要な量が高圧に加圧され、吐出弁８を通じて、吐出口１３から高圧配管であるコモンレール２３に圧送される。【００３８】
また、ここまで無通電時に閉弁状態であり、通電時に開弁状態となるノーマルクローズ型の電磁弁を用いた例について説明したが、これとは逆に無通電時に開弁状態であり、通電時に閉弁状態となるノーマルオープン型の電磁弁を用いてもよい。この場合、ＥＣＵ２７からの流量制御指令はＯＮとＯＦＦが逆転する。【００３９】
コモンレール２３には、インジェクタ２４と圧力センサ２６が装着されている。インジェクタ２４は、内燃機関の気筒数に合わせて装着されており、ＥＣＵ２７の制御信号により、インジェクタ２４は開閉動作をして、所定量の燃料をシリンダ内に噴射する。【００４０】
次に、図２及び図３を用いて、本実施形態による高圧燃料供給ポンプに用いられる吐出弁の構成について説明する。【００４１】
図２及び図３は、本発明の第１の実施形態による高圧燃料供給ポンプに用いられる吐出弁の構成を示す縦断面図である。図２及び図３において、弁の移動方向をＺ軸とし、Ｚ軸に直交する軸をそれぞれＸ軸，Ｙ軸とする。図２は、Ｚ−Ｙ平面における縦断面図であり、図３は、Ｚ−Ｘ平面における縦断面図である。また、図２，図３は、吐出弁の開弁状態を示している。なお、図２及び図３において、図１と同一符号は、同一部分を示している。【００４２】
吐出弁８は、図１にて説明したシート部８ａと、弁体８ｂと、吐出弁ばね８ｃと、弁体ハウジング８ｄとを備えている。シート部８ａと、弁体８ｂと、吐出弁ばね８ｃと、弁体ハウジング８ｄとは、いずれも、金属製である。シート部８ａは、シート部材８Ａの一端部に形成されている。弁体ハウジング８ｄ及びシート部材８Ａは、金属製のポンプハウジング１の内部に圧入され、固定されている。弁体８ｂは、弁体ハウジング８ｄの内部に摺動可能に保持されている。図において、Ｚ軸方向が、弁体８ｂの摺動方向である。弁体８ｂと弁体ハウジング８ｄの間には、吐出弁ばね８ｃが挿入されている。吐出弁ばね８ｃは、燃料流入方向と逆方向に、弁体８ｂを付勢している。図１にて説明したように、加圧室１１は、ポンプハウジング１の内部に備えられる。加圧室１１にて加圧された燃料が、矢印Ａ１方向から吐出弁８に流入する。従って、Ｚ軸方向は、加圧室１１からの燃料流入方向でもある。【００４３】
弁体８ｂおよび弁体ハウジング８ｄは円筒状である。図２に示すように、弁体ハウジング８ｄには、２個の吐出ポート８０３Ａ，８０３Ｂが、シート部８ａの側方に向かい合って形成されている。吐出ポート８０３Ａ，８０３Ｂから吐出した燃料は、矢印Ａ２方向にポンプハウジング１の吐出口１３から流出し、図１に示したコモンレール２３に供給される。なお、吐出ポートは、周方向に３カ所以上設けられていてもよいものである。弁体ハウジング８ｄの外周には、図３に示されると共に、中央部から右方向に形成されたガイド周面８ｄ１と、図２に示されるとともに、ガイド周面の一部が平面状に切り欠かれているカット平面部８ｄ２と、図示の左側に形成されたフランジ部８ｄ３とが形成されている。一方、ポンプハウジング１の内周面には、弁体ハウジング８ｄのフランジ部８ｄ３が当接する円周段付部１ａが形成されている。弁体ハウジング８ｄは、図示の左方向からポンプハウジング１の内部に圧入され、弁体ハウジング８ｄのフランジ部８ｄ３が円周段付部１ａに当接することで、位置決めされる。【００４４】
弁体ハウジング８ｄの右側端面には、均圧孔８ｄ４が形成されている。均圧孔８ｄ４は、ばね８ｃが入っている弁体８ｂの裏側の空間に吐出された流体が出入りするための孔である。これにより、吐出弁８は筒内と高圧配管内の圧力差により差圧力を受けてスムーズに動作することが可能になる。【００４５】
また、弁体ハウジング８ｄの内周には、円筒状のガイド部８ｄ５が形成されている。ガイド部８ｄ５の右側には、段付部８ｄ６が形成されている。【００４６】
弁体ハウジング８ｄの内部には、吐出弁ばね８ｃを配置するための空間が形成されている。弁体ハウジング８ｄの内部に吐出弁ばね８ｃが挿入された後、弁体８ｂが挿入される。弁体８ｂが吐出弁ばね８ｃの付勢力に抗して右方向に移動した場合、吐出弁ばね８ｃの右側端部が、段付部８ｄ６に当接して、弁体８ｂの移動を阻止する。すなわち、段付部８ｄ６は、図１にて説明したストッパー８０５として機能する。弁体８ｂは、ガイド部８ｄ５によってガイドされ、Ｚ軸方向に往復動可能である。弁体８ｂの外周と、ガイド部８ｄ５の間には、弁体８ｂが摺動可能なように僅かな隙間が設けられている。従って、弁体８ｂは、主として、Ｚ軸方向に往復動するが、それとともに、Ｚ軸に直交する方向に、移動可能である。従って、弁体８ｂがガイド部８ｄ５に対してオフセットすると、フラッタリングが発生する恐れがある。【００４７】
弁体８ｂの左側端面（シート部８ａと対抗する面）は、平面であるとともに、その中央部に凹部８ｂ１が形成されている。凹部８ｂ１の周囲は、リング状の平面であり、弁座８ｂ２となる。【００４８】
また、ポンプハウジング１の内周面には、弁シート部材８Ａのフランジ部８Ａ１が当接する円周段付部１ｂが形成されている。弁シート部材８Ａは、図示の左方向からポンプハウジング１の内部に圧入され、弁シート部材８Ａのフランジ部８Ａ１が円周段付部１ｂに当接することで、位置決めされる。弁シート部材８Ａの内部は中空となっており、加圧室１１で加圧された燃料が、吐出弁８の内部に流入する。弁シート部材８Ａの右側端面はリング状の平面であり、シート部８ａとして機能する。弁座８ｂ２とシート部９ａは対向しており、両者が密着すると、吐出弁８が閉じ、両者が離れると、吐出弁８が開く。【００４９】
弁体８ｂの弁座８ｂ２の面は、弁体８ｂの軸方向（弁体８ｂが往復動する方向：Ｚ軸方向）に直交する平面と平行であり、また、弁座８ｂ２が当接するシート部８ａの面も、弁体の軸方向に直交する平面と平行であり、本実施形態の弁はフラット弁である。【００５０】
次に、本実施形態の吐出弁８の特徴的な構成について説明する。【００５１】
弁体８ｂの弁座８ｂ２の周辺には、テーパ部８０１が設けられている。従って、弁体８ｂの外径、すなわち弁体ハウジング８ｄのガイド部８０６に挿入される部分の直径Ｒｂ２は、弁座８ｂ２の外径Ｒｂ１よりも大きくなるよう構成されている。このように構成することで弁体８ｂの外周と弁体ハウジング８ｄの内周との間に、管状隙間が形成される。この管状隙間については、図４を用いて後述する。【００５２】
また、弁シート部材８Ａのシート部８ａ側の外周には、段付部８Ａ２が形成されている。したがって、弁シート部材８Ａのシート部８ａ側の外周の外径Ｒａ１は、弁シート部材８Ａの左側の外径Ｒａ２よりも小さい。また、弁シート部材８Ａのシート部８ａ側の凸部は、弁ハウジング８ｄの内周側に位置する。そして、弁シート部材８Ａのシート部８ａ側の外周の外径Ｒａ１は、弁ハウジング８ｄの内径８ｄ１よりも小さくなるように構成されている。このような構成とすることで、弁シート部材８Ａの外周と弁ハウジング８ｄの内周との間に、管状隙間が形成される。この管状隙間については、図４を用いて後述する。【００５３】
次に、図４及び図５を用いて、本実施形態による高圧燃料供給ポンプの吐出弁に設けられた管状隙間について説明する。【００５４】
図４は、本発明の第１の実施形態による高圧燃料供給ポンプに用いられる吐出弁の構成を示す要部拡大断面図である。なお、図４において、図１〜図３と同一符号は、同一部分を示している。図５は、本発明の第１の実施形態による高圧燃料供給ポンプに用いられる吐出弁における燃料の流れの説明図である。【００５５】
図４に示すように、弁体８ｂの外周と弁体ハウジング８ｄの内周との間に、管状隙間８０５Ｂが形成される。また、弁シート部材８Ａの外周と弁ハウジング８ｄの内周との間に、管状隙間８０５Ｃが形成される。さらに、吐出弁が開いている状態では、シート部８ａと弁座８ｂ２の間には隙間があるため、この隙間に対応する管状隙間８０５Ａが形成される。【００５６】
これらの管状隙間８０５Ａ，８０５Ｂ，８０５Ｃは互いに連通しているものである。ここで、従来の管状隙間の断面積は、管状隙間８０５Ａの断面積に相当する。それに対して、本実施形態の管状隙間の断面積は、管状隙間８０５Ａの断面積と管状隙間８０５Ｂの断面積と管状隙間８０５Ｃの断面積を足したものとなるため、従来よりも大きくできる。すなわち、管状隙間８０５Ａ，８０５Ｂ，８０５Ｃは、液体ダンパ室を構成する。ここで、断面積とは、図示のように、弁体８ｂの軸（図中のＺ軸）を含む平面で、吐出弁８の断面を得たときの面積である。【００５７】
図５に示すように、吐出弁の開弁時に弁体８ｂに対して軸方向から衝突した流れＡ１は、弁体の半径方向に放射状に分散する。このうち、図５Ａに示すように、吐出ポート８０３Ａ，８０３Ｂが形成されている範囲の流れＡ２，Ａ３は、そのまま吐出ポート８０３Ａ，８０３Ｂに向かい弁体の径方向の流れとなる。一方、図５Ｂに示すように、吐出ポート８０３Ａ，８０３Ｂが形成されていない範囲に向かった流れＡ４は、弁ハウジング８ｄの内壁に衝突した後、吐出ポート８０３Ａ，８０３Ｂに向かい弁体の周方向の流れＡ５，Ａ６となる。【００５８】
ここで、図５Ｂに示す弁ハウジング８ｄの内壁に衝突した後、吐出ポート８０３Ａ，８０３Ｂに向かい弁体の周方向の流れＡ５，Ａ６は、図４にて説明した液体ダンパ室を経由して、吐出ポート８０３Ａ，８０３Ｂに向かうことになる。その結果、弁体８ｂの周りの圧力分布に偏りが生じた場合でも、その圧力分布は、液体ダンパ室によって緩和することができる。【００５９】
弁シート部材８Ａの外周と弁ハウジング８ｄの内周との間に形成される管状隙間８０５ＣのＺ軸方向の長さをｚ３とし、幅をｘ１とすると、管状隙間８０５Ｃの断面積は、ｘ１・ｚ３となる。また、弁体８ｂのテーパ部８０１の長さをｚ２とし、テーパの頂部の幅をｘ１とすると、管状隙間８０５Ｂの断面積は、（ｘ１・ｘ２）／２となる。さらに、弁体８ｂのストロークをＳＴ１とすると、これは、管状隙間８０５Ａの長さｚ２に等しい。管状隙間８０５Ａの長さをｚ１とし、幅をｘとすると、管状隙間８０５Ａの断面積は、ｚ１・ｘ１となる。【００６０】
ここで、管状隙間８０５Ｃの断面積を、管状隙間８０５Ｂの断面積よりも大きくしている。具体例を挙げると、ｘ１＝０．８ｍｍとし、ｚ１＝０．４ｍｍとし、ｚ２＝１．７ｍｍとし、ｚ３＝２．３ｍｍとすると、管状隙間８０５Ｃの断面積（１．８ｍｍ２）は、管状隙間８０５Ｂの断面積（０．６８ｍｍ２）より、２倍以上大きくしている。【００６１】
これは、管状隙間８０５Ｂの面積を大きくするため、テーパ部８０１の面積を大きくすると、管状隙間８０５Ｂ内の圧力脈動が弁体８ｂに作用する受圧面積が増加するため、フラッタリング抑制という観点から不利だからである。また、弁体８ｂが弁体の摺動方向に直交する方向にオフセットされると、管状隙間８０５Ｂの断面積自体が変動し、小さくなり、液体ダンパとしての機能が低下することもある。【００６２】
その点、管状隙間８０５Ｃを大きくすることで、これらの問題を解決して、液体ダンパ室の断面積を十分に大きくでき、圧力脈動を低減することができる。【００６３】
なお、上述の例では、管状隙間８０５Ａの断面積は、０．３６ｍｍ２ であるので、液体ダンパ室の断面積は、２．８４ｍｍ２となる。ここで、排気量１５００ｃｃで４気筒のエンジンのアイドル流量時に、圧損を所定値以下にするには、液体ダンパ室の断面積は、０．３ｍｍ２以上とする必要がある。上述のように、管状隙間８０５Ａと、テーパ部８０１による管状隙間８０５Ｂとだけの場合の断面積は１．０４ｍｍ２であるので、アイドル流量時の圧力脈動の低減では十分であるが、エンジンの最大負荷時の燃料流量に対しては、十分な断面積ではない。それに対して、管状隙間８０５Ｃを加えることで、エンジンの最大負荷時の燃料流量に対しても、十分なる圧力脈動の低減を行うことができる。【００６４】
なお、管状隙間８０５Ｂを形成するための方法として、弁体８ｂにテーパ部８０１を設ける以外に、後述の実施形態のように、弁体８ｂに段付部を設ける方法も取りうる。ただし、段付部の場合には、シート部８ａを通過して吐出ポート８０３に向かう流れは急激な拡大流となり、キャビテーションが発生する可能性がある。また、段付部の婆合い、流れの方向も急激に変化するため、損失ヘッドも大きく、意図しない圧力脈動を発生させ、フラッタリングを助長する可能性もある。【００６５】
それに対して、上述のように弁体８ｂにテーパ部８０１が設けることで、管状隙間８０５Ｂを形成しつつ、シート部８ａから吐出ポート８０３に向けて流れる吐出流れの方向変化を小さくすることができる。これにより流れが円滑となり、意図しない渦やキャビテーションの発生を抑制することができる。【００６６】
また、ここで、流体通路の断面積αが、吐出弁の全開時における開口面積βに対し、α＞０．１×βとなっている。ここで、流体通路の断面積αとは、排気量１５００ｃｃで４気筒のエンジンのアイドル流量時に、圧損を所定値以下にする液体ダンパ室の断面積（０．３ｍｍ２）のことである。また、吐出弁の全開時における開口面積βとは、吐出ポートに向かう流れが通過する断面積のことである。すなわち、開口面積βとは、（弁開口時の弁座とシート部のギャップ長（図４のＳＴ１＝０．４ｍｍ））×（弁座の外周の内、吐出ポートに対向する部分の長さ（３．７５ｍｍ）×２（吐出ポートが２個の場合）であり、３ｍｍ２となる。したがって、流体通路の断面積αが、吐出弁の全開時における開口面積βに対し、α＞０．１×βとなっている。【００６７】
次に、図６を用いて、本実施形態による高圧燃料供給ポンプの吐出圧力の測定結果について説明する。【００６８】
図６は、本発明の第１の実施形態による高圧燃料供給ポンプの吐出圧力の測定結果の説明図である。【００６９】
図６Ａは、吐出口の圧力Ｐの時間ｔに対する変化を示している。細い実線で示す圧力Ｐ１は、従来の構成の高圧燃料供給ポンプにおける吐出口の圧力変化を示している。ここで、従来の構成とは、図４に示した構成において、管状通路５０３Ｂと管状通路５０３Ｃがない場合である。【００７０】
一方、太い実線で示す圧力Ｐ２は、図１〜図４にて説明した本実施形態による高圧燃料供給ポンプにおける吐出口の圧力変化を示している。本実施形態による高圧燃料供給ポンプでは、図４に示した構成において、管状通路５０３Ａに加えて、管状通路５０３Ｂと管状通路５０３Ｃを備えている場合である
図６Ａに示すように、本実施形態によれば、吐出口の圧力変動を小さくできる。【００７１】
図６Ｂは、図６Ａに示した圧力の変化をフーリエ変換して、吐出口圧力の脈動振幅Ｖを求め、横軸を周波数ｆとして示している。細い実線で示す脈動振幅Ｖ１は従来の構成のものであり、太い実線で示す脈動振幅Ｖ２が本実施形態によるものである。図中、周波数ｆ１から周波数ｆ２の範囲が人間の可聴範囲である。このように、特に、可聴範囲における脈動振幅の低減に効果があり、騒音を低減できるものである。【００７２】
次に、図２を用いて、本実施形態の吐出弁８の組み立て工程について説明する。【００７３】
吐出弁８は、図２にて説明したシート部８ａを有するシート部材８Ａと、弁体８ｂと、吐出弁ばね８ｃと、弁体ハウジング８ｄとから構成される。これらの部品は、ポンプハウジング１の内部に組み付けられる。【００７４】
組み立ては、図２に示したポンプハウジング１の左方から行われる。図１に示したように、ポンプハウジング１の内部には、電磁吸入弁機構３０や加圧室１１のプランジャ２などが組み付けられる。これらの部品が組み付けられる前の状態では、ポンプハウジング１は、電磁吸入弁機構３０を組み込むための穴が設けられている。この穴から、吐出弁８の各部品を挿入して、加圧室１１の内部空間を経由して、図２に示すポンプハウジング１の右側の内部空間に吐出弁８を組み立てる。【００７５】
最初に、図２に示すポンプハウジング１の右側の内部空間に、弁体ハウジング８ｄが圧入され、固定される。このとき、弁体ハウジング８ｄは、図示の左方向からポンプハウジング１の内部に圧入され、弁体ハウジング８ｄのフランジ部８ｄ３が円周段付部１ａに当接することで、位置決めされる。【００７６】
次に、弁体ハウジング８ｄの内部に、吐出弁ばね８ｃが挿入される。【００７７】
次に、弁体ハウジング８ｄの内部に、弁体８ｂが挿入される。【００７８】
最後に、シート部材８Ａは、図示の左方向からポンプハウジング１の内部に圧入され、弁シート部材８Ａのフランジ部８Ａ１が円周段付部１ｂに当接することで、位置決めされる。【００７９】
なお、以上の説明では、吐出弁８の各部品は、図２の左方向から、すなわち、加圧室１１の方向から順次組み込まれるが、図２の右方向から、組み込む場合もある。この場合には、ポンプハウジング１の右方向には、シート部材８Ａを挿入可能な穴が形成されている。この穴から、シート部材８Ａが圧入固定され、次に、弁体８ｂと吐出弁ばね８ｃが順次挿入され、最後に、弁体ハウジング８ｄが圧入され、固定される。【００８０】
次に、図７を用いて、本実施形態による高圧燃料供給ポンプの吐出弁として用いる吐出弁ユニットの構成について説明する。【００８１】
図７は、本発明の第１の実施形態による高圧燃料供給ポンプの吐出弁として用いる吐出弁ユニットの構成を示す断面図である。図７Ａ及び図７Ｂにおいて、弁の移動方向をＺ軸とし、Ｚ軸に直交する軸をそれぞれＸ軸，Ｙ軸とする。図７Ａは、Ｚ−Ｙ平面における縦断面図であり、図７Ｂは、Ｚ−Ｘ平面における縦断面図である。また、図７Ａ及び図７Ｂは、吐出弁の開弁状態を示している。なお、図７Ａ及び図７Ｂにおいて、図１と同一符号は、同一部分を示している。【００８２】
弁ハウジング８ｄの内側に、ばね８ｃ及び弁座８ｂが挿入された後、弁シート部８ａの段付部８Ａ３が弁ハウジング８ｄの内周面に圧入され、これによって、吐出弁ユニット８が一体化されている。【００８３】
以上の構成を吐出弁ユニット８Ｕを、図２に示したように、図２の左方向の加圧室１１の方向から、一体的にポンプハウジング１の内部に圧入することで、吐出弁を構成することができる。また、図２に示すポンプユニット１の右方向から吐出弁ユニット８Ｕを、一体的にポンプハウジング１の内部に圧入することで、吐出弁を構成することができる。【００８４】
以上説明したように、本実施形態によれば、弁体に軸方向から衝突し、放射状に分散した流れのうち、吐出ポートが形成されていない範囲に向かった流れを、周方向の液体ダンパ室を形成する流体通路を通して吐出ポートに向け、積極的かつ円滑に誘導することができる。その結果、弁体周りの圧力分布において偏りをなくし、弁体に作用する差圧力を低減し、フラッタリングを抑制することができる。【００８５】
また、弁体が弁体ハウジングの中心から径方向にオフセットした場合でも、予め所定値以上の断面積を持つ周方向の流体通路（管状通路８０５Ｃ）を形成しておくことで、オフセット前後の断面積変化率を小さく保つことができ、結果として弁体両側に発生する差圧を低減し、フラッタリングを抑制することができる。【００８６】
さらに、流体通路の一部を弁体以外の部材の表面で形成することで、流体通路内の圧力脈動が弁体に作用する受圧面積を増加させることなく、流体通路の断面積を増加させ、周方向への十分な流体ガイド機能を果たし、なおかつ流体通路内に圧力脈動が発生したとしても弁体挙動に与える影響を最小限に抑え、フラッタリングを抑制することができる。【００８７】
すなわち、人間の耳の感度が高い周波数領域の圧力脈動を低減することで、外観形状の大型化、高圧配管のレイアウトの複雑化、これらに伴うコストアップ等を回避または抑制しつつ、高圧・大流量化に伴ない発生する騒音を大幅に低減することができる。【００８８】
以上説明したように、弁体周方向の流れに起因する騒音の影響を低減できる。【００８９】
なお、以上の説明では、筒状の弁体および弁体ハウジングを用いていたが、これ以外の形状の弁に関しても同様の方法により周方向に流体通路を形成することで、弁体のフラッタリングを抑制することができる。【００９０】
次に、図８を用いて、本発明の第２の実施形態による高圧燃料供給ポンプの構成及び動作について説明する。なお、本実施形態による高圧燃料供給ポンプを用いる高圧燃料供給システムの構成は、図１に示したものと同様である。【００９１】
図８は、本発明の第２の実施形態による高圧燃料供給ポンプに用いられる吐出弁の構成を示す縦断面図である。図８は、吐出弁の開弁状態を示している。なお、図８において、図１〜図４と同一符号は、同一部分を示している。【００９２】
本実施形態においても、吐出弁８は、シート部８ａと、弁体８ｂと、吐出弁ばね８ｃと、弁体ハウジング８ｄとから構成される。弁体８ｂおよび弁体ハウジング８ｄが円筒状であり、吐出ポート８０３Ａ，８０３Ｂはシート部８ａの側方に向かい合って２箇所形成されている。なお、吐出ポートは、周方向に３カ所以上設けていてもよい。【００９３】
本実施形態では、弁体８ｂの外径、すなわち弁体ハウジング８ｄのガイド部８ｄ５に挿入される部分の直径は、シート部８ａの外径よりも大きくなるよう構成され、弁体８ｂの弁座８ｂ２の周辺には、段付部８０２が設けられている。【００９４】
このように構成することで、弁体８ｂと弁体ハウジング８ｄの間に管状隙間８０５Ｂが形成される。これにより、弁体８ｂに衝突後、放射状に分散された吐出流れのうち、吐出ポート８０３Ａ，８０３Ｂが形成されてない範囲に向かった流れを弁体８ｂの周方向に旋回し、円滑に最寄の吐出ポート８０３Ａ，８０３Ｂに導くことが可能となる。その結果、弁体８ｂの周りの圧力分布の偏りは緩和される。【００９５】
また、図４にて説明した第１の実施形態と同様に、シート部８ａの外周部と弁体ハウジング８ｄの内径部の間に管状隙間８０５Ｃが形成されている。管状隙間８０５Ｂに加えて管状隙間８０５Ｃを設けることで、管状隙間内の圧力脈動が弁体８ｂに作用する受圧面積を増加させることなく、十分な断面積を確保でき、弁体８ｂのフラッタリングを抑制して騒音を低減することができる。また、管状隙間８０５Ｃの断面積は、管状隙間８０５Ｂの断面積より大きくしており、圧力脈動が作用する受圧面積を低減することができる。【００９６】
以上説明した構成により、本実施形態においても、弁体周方向の流れに起因する騒音の影響を低減できる。【００９７】
なお、以上の説明では、筒状の弁体および弁体ハウジングを用いていたが、これ以外の形状の弁に関しても同様の方法により周方向に流体通路を形成することで、弁体のフラッタリングを抑制することができる。【００９８】
次に、図９を用いて、本発明の第３の実施形態による高圧燃料供給ポンプの構成及び動作について説明する。なお、本実施形態による高圧燃料供給ポンプを用いる高圧燃料供給システムの構成は、図１に示したものと同様である。【００９９】
図９は、本発明の第３の実施形態による高圧燃料供給ポンプに用いられる吐出弁の構成を示す縦断面図である。図９は、吐出弁の開弁状態を示している。なお、図９において、図１〜図４と同一符号は、同一部分を示している。【０１００】
本実施形態では、図２や図８に示した実施形態におけるガイド部８０６が設けられていない板状の弁体８ｂを用いている。板状の弁体８ｂを用いると、図２や図８に示した実施形態のようなガイド部付きの弁体を用いた場合に対し、構造および加工が容易であり、コスト低減に有利である。しかし、意図しない弁体挙動が発生した際にそれを抑制する機構を備えていないため、騒音低減のみならず動作信頼性の観点からもフラッタリングの抑制は必須である。【０１０１】
ガイド付き弁体の場合と同様に、弁体８ｂの外径はシート部８ａの外径より大きくなるよう構成し、テーパ部８０７を設けている。これにより、管状隙間８０５Ｂが形成され、周方向に円滑な流れを発生させることができ、圧力分布の偏りが低減することができる。また、テーパー８０７を設けることで、吐出ポート８０３Ａ，８０３Ｂに向かう径方向の主流の方向変化を小さくし円滑化することができる。【０１０２】
以上説明した構成により、本実施形態においても、弁体周方向の流れに起因する騒音の影響を低減できる。【０１０３】
なお、本発明は、内燃機関の高圧燃料供給ポンプに限らず、各種の高圧ポンプに広く利用可能である。
【図面の簡単な説明】
【０１０４】
【図１】本発明の第１の実施形態による高圧燃料供給ポンプを用いる高圧燃料供給システムの全体構成図である。
【図２】本発明の第１の実施形態による高圧燃料供給ポンプに用いられる吐出弁の構成を示す縦断面図である。
【図３】本発明の第１の実施形態による高圧燃料供給ポンプに用いられる吐出弁の構成を示す縦断面図である。
【図４】本発明の第１の実施形態による高圧燃料供給ポンプに用いられる吐出弁の構成を示す要部拡大断面図である。
【図５Ａ】本発明の第１の実施形態による高圧燃料供給ポンプに用いられる吐出弁における燃料の流れの説明図である。
【図５Ｂ】本発明の第１の実施形態による高圧燃料供給ポンプに用いられる吐出弁における燃料の流れの説明図である。
【図６Ａ】本発明の第１の実施形態による高圧燃料供給ポンプの吐出圧力の測定結果の説明図である。
【図６Ｂ】本発明の第１の実施形態による高圧燃料供給ポンプの吐出圧力の測定結果の説明図である。
【図７Ａ】本発明の第１の実施形態による高圧燃料供給ポンプの吐出弁として用いる吐出弁ユニットの構成を示す断面図である。
【図７Ｂ】本発明の第１の実施形態による高圧燃料供給ポンプの吐出弁として用いる吐出弁ユニットの構成を示す断面図である。
【図８】本発明の第２の実施形態による高圧燃料供給ポンプに用いられる吐出弁の構成を示す縦断面図である。
【図９】本発明の第３の実施形態による高圧燃料供給ポンプに用いられる吐出弁の構成を示す縦断面図である。
【符号の説明】
【０１０５】
１…ポンプハウジング
１ａ，１ｂ…円周段付部
２…プランジャ
８…吐出弁
８Ａ…シート部材
８Ａ１…フランジ部
８Ａ２…段付部
８ａ…シート部
８ｂ…弁体８ｂ
８ｂ１…凹部
８ｂ２…弁座
８ｃ…吐出弁ばね
８ｄ…弁体ハウジング
８ｄ１…ガイド周面
８ｄ２…カット平面部
８ｄ３…フランジ部
８ｄ４…均圧孔
８ｄ５…ガイド部
８ｄ６…段付部
９…圧力脈動低減機構
１０ｃ…吸入通路
１１…加圧室
１３…吐出口
２０…燃料タンク
２３…コモンレール
２４…インジェクタ
２６…圧力センサ
２７…ＥＣＵ
３０…電磁吸入弁機構
８０１，８０７…テーパ部
８０２…段付部
８０３Ａ，８０３Ｂ…吐出ポート
８０５…液体ダンパ室
８０５Ａ，８０５Ｂ，８０５Ｃ…管状通路
【図１】
2010095247.tif 000003
【図２】
2010095247.tif 000004
【図３】
2010095247.tif 000005
【図４】
2010095247.tif 000006
【図５Ａ】
2010095247.tif 000007
【図５Ｂ】
2010095247.tif 000008
【図６Ａ】
2010095247.tif 000009
【図６Ｂ】
2010095247.tif 000010
【図７Ａ】
2010095247.tif 000011
【図７Ｂ】
2010095247.tif 000012
【図８】
2010095247.tif 000013
【図９】
2010095247.tif 000014
【国際調査報告】
2010095247.tif 000015
2010095247.tif 000016
2010095247.tif 000017
2010095247.tif 000018